(57)【要約】      （修正有）【課題】撮像機能付き携帯通信装置などの電子機器に結合しており、データを外部の無線装置にアップロードしたり、ダウンロードしたりすることができるメモリカードが挿入可能な無線通信カードを提供する。【解決手段】無線通信カード１は、本体１０の内部に通信インターフェイス１１、メモリカード１２を挿入するためのスロット１３、及び回路モジュール１４が設けて構成する。回路モジュール１４は、通信インターフェイス１１とスロット１３との間に電気的に接続されている。通信インターフェイス１１は、外部の電子装置がスロット１３に挿入されたメモリカード１２に対してデータをアクセルさせるためのものである。また、無線通信カード１における回路モジュール１４は、通信インターフェイス１１とスロット１３に挿入されたメモリカード１２との間に有線方式でデータを互いにアクセスさせるように制御するだけではなく、更にワイヤレス通信機能を有する。【選択図】図１
0003172865.tif 000002
【実用新案登録請求の範囲】
【請求項１】
メモリカードが挿入可能な無線通信カードであって、
通信インターフェイスと、メモリカードを挿入するためのスロットと、を備える本体と、
前記本体の内部に設けられ、前記通信インターフェイスと前記スロットとの間に電気的に接続される回路モジュールと、
を含み、
前記回路モジュールは、
無線通信ユニットと、
前記無線通信ユニットと電気的に接続されており、トリガ信号によって前記無線通信ユニットを動作させることにより、前記無線通信カードを前記無線通信ユニットによってワイヤレス方式で無線装置と通信させており、前記無線装置が前記スロットに挿入された前記メモリカードをワイヤレス方式でアクセスするように構成する制御ユニットと、
を含むことを特徴とする無線通信カード。
【請求項２】
前記無線通信カードは、デジタル電子装置に挿入するのに用いられるものであり、前記通信インターフェイスを介して前記デジタル電子装置とのデータのアクセスを行い、
前記制御ユニットは、前記通信インターフェイスを介して前記デジタル電子装置が前記メモリカードを読み取り／書き込みするための読み取り／書き込み信号を受信して、前記スロットに挿入された前記メモリカードに対するデータの読み取り／書き込みを制御することを特徴とする請求項１に記載の無線通信カード。
【請求項３】
前記制御ユニットは、前記デジタル電子装置が前記制御ユニットにおけるデフォルト画像を閲覧して所定の操作を執行する際に前記トリガ信号を生成し、
前記デフォルト画像は、前記無線通信カードと前記無線装置との間に通信するための無線通信モードに対応することを特徴とする請求項２に記載の無線通信カード。
【請求項４】
前記無線通信カードの受け力の状態を検出するための状態検出ユニットを更に含み、
前記状態検出ユニットは、重力センサー、ジャイロセンサー、角度センサー又は振動センサーであり、
前記トリガ信号は、前記状態検出ユニットの検出結果に基づいて生成することを特徴とする請求項２に記載の無線通信カード。
【請求項５】
前記スロットは、マイクロエスディー（Ｍｉｃｒｏ ＳＤ（登録商標））メモリカードのスロットであり、
前記制御ユニットは、処理モジュールとメモリを含み、
前記処理モジュールは、マイクロプロセッサとＲ／Ｗ（読み取り／書き込み)制御器を含み、前記メモリと電気的に接続されており、前記メモリに記憶されているデータに基づいて前記無線通信カードの動作を制御し、
前記マイクロプロセッサは、前記Ｒ／Ｗ（読み取り／書き込み)制御器によって前記スロットに挿入された前記メモリカードに対するデータの読み取り／書き込みを制御するとともに、前記無線通信ユニットの動作を制御することを特徴とする請求項２に記載の無線通信カード。
【考案の詳細な説明】
【技術分野】
【０００１】
本考案は、無線通信カードに関し、特に、データを記憶するのに用いられるメモリカードが挿入可能な無線通信カードに関するものである。
【背景技術】
【０００２】
科学技術の進歩に伴い、デジタルカメラ、デジタル撮像機器、又は撮像機能付き携帯通信装置といったものも次から次へと新機種が出てくる。斬新な意匠の創作、機能の多様化のほかに、携帯利便性及び周辺機器との連携などについても製造業者に注目されている。一例として、デジタルカメラをコンピュータに直接連接することでデジタル写真を表示してユーザーにデジタル写真を閲覧させることにより、従来の伝統のカメラが写真を露光・現像する雑多なプロセスを無くすことができるようになっている。
【０００３】
デジタルカメラは次から次へと新機種が出てくるにもかかわらず、依然として有線通信インターフェイス（例えば、ＵＳＢインターフェイス、ＲＳ−２３２インターフェイス、ＰＳ２インターフェイスなど）を介して写真をコンピュータにアップロードしたりコンピュータからダウンロードしたりすることが必要であるため、他人と写真や動画を直ちに交換しようとすると、遠距離や郊外にあるユーザーにとって非常に不便になっている。
【考案の概要】
【考案が解決しようとする課題】
【０００４】
そこで上記事情を鑑みて、本考案において、遠距離や郊外にあるユーザーが写真を撮ったり撮影をしたりした後、他人と写真や動画を直ちに交流できない欠点を解決できるためのメモリカードが挿入可能な無線通信カードを提供することを課題とする。
【課題を解決するための手段】
【０００５】
本考案は、本体と回路モジュールとを含むメモリカードが挿入可能な無線通信カードを提供する。本体は、通信インターフェイスと、メモリカードを挿入するためのスロットと、を備える。回路モジュールは、本体の内部に設けられ、通信インターフェイスとスロットとの間に電気的に接続される。回路モジュールは、無線通信ユニットと制御ユニットを含む。制御ユニットは、無線通信ユニットと電気的に接続されており、トリガ信号によって無線通信ユニットを動作させることにより、無線通信カードを無線通信ユニットによってワイヤレス方式（無線方式ともいう）で無線装置と通信させており、無線装置がスロットに挿入されたメモリカードをワイヤレス方式でアクセスするためのものである。
【考案の効果】
【０００６】
上述したように、本考案に係るメモリカードが挿入可能な無線通信カードは、デジタルカメラ、デジタル撮像機器、又は撮像機能付き携帯通信装置といったものと組み合わせることにより、無線通信カードがワイヤレス方式でメモリやメモリカードに記憶されているデータを外部装置に直ちに送信することができる。
【図面の簡単な説明】
【０００７】
【図１】本考案の実施例におけるメモリカードが挿入可能な無線通信カードの外観模式図を示す。
【図２】本考案の実施例におけるメモリカードが挿入可能な無線通信カードのブロック模式図を示す。
【図３】メモリ内部の配置状態の模式図を示す。
【図４】メモリに記憶されているデフォルト画像の模式図を示す。
【図５】メモリに記憶されているデフォルト画像の模式図を示す。
【図６Ａ】メモリに記憶されているデフォルト画像の模式図を示す。
【図６Ｂ】メモリに記憶されているデフォルト画像の模式図を示す。
【図７】本考案の実施例における無線通信カードを使用してデジタル電子装置をワイヤレス通信方式で通信させる状態の模式図を示す。
【図８】本考案の実施例におけるメモリカードが挿入可能な無線通信カードのブロック模式図を示す。
【図９】本考案の実施例における無線通信カードの制御フローチャートを示す。
【考案を実施するための形態】
【０００８】
図１は、本考案の実施例におけるメモリカードが挿入可能な無線通信カードの外観模式図を示す。図１に示すように、無線通信カード１は、本体１０の内部に通信インターフェイス１１、メモリカード１２を挿入するためのスロット１３、及び回路モジュール１４が設けられることで構成されたものである。回路モジュール１４は、通信インターフェイス１１とスロット１３との間に電気的に接続されている。通信インターフェイス１１は、外部の電子装置（図示せず）がスロット１３に挿入されたメモリカード１２に対してデータをアクセルさせるためのものである。ここで、一例として、ゴールデンフィンガー・コネクターインターフェース（ｇｏｌｄｅｎ ｆｉｎｇｅｒ  ｃｏｎｎｅｃｔｉｎｇ  ｉｎｔｅｒｆａｃｅ）を通信インターフェイス１１として説明する。無線通信カード１の本体１０がデジタル電子装置における、データを伝送するスロット（例えば、メモリカードスロットなど）に挿入された場合、デジタル電子装置は、通信インターフェイス１１を介して無線通信カード１に挿入されたメモリカード１２の記憶しているデータを有線方式でアクセスする。メモリカード１２は、ユーザーが記憶したいデータである影像、映像、音声、動画、文字データなどのメディアデータを記憶するためのものである。スロット１３は、例えば、マイクロエスディー（Ｍｉｃｒｏ ＳＤ（登録商標））メモリカードなどのスロットであってもよい。本考案の実施例におけるメモリカードはマイクロエスディー（登録商標）メモリカードなどのカードであってもよい。ここで注意すべき点は、本考案の実施例におけるスロット１３の仕様や規格は例示に過ぎず、本考案を限定するものではない。
【０００９】
また、無線通信カード１における回路モジュール１４は、通信インターフェイス１１とスロット１３に挿入されたメモリカード１２との間に有線方式でデータを互いにアクセスさせるように制御するだけではなく、更にワイヤレス通信機能を有する。ここで、ワイヤレス通信機能は、予め設定されておいた手段又はプログラムによって動作するようにしてもよい。また、無線通信カード１は、ユーザーがワイヤレス方式による操作に応じてデータをアップロードしたりダウンロードしたりするようにしてもよい。ここで、データをアップロードするというのは、無線通信カード１のスロット１３に挿入されたメモリカード１２の記憶しているデータをワイヤレス方式で外部装置に送信することを指す。一方、データをダウンロードするというのは、無線通信カード１がワイヤレス方式で外部装置からのデータを受信して無線通信カード１のスロット１３に挿入されたメモリカード１２に記憶することを指す。また、無線通信カード１の本体１０のスロット１３を介してユーザーが選択的に異なる所望の容量を有するメモリカード１２を挿入できるため、ユーザーは上述した無線通信機能に合わせて所望の容量を有するメモリカード１２を選択的に使用することができる。
【００１０】
図２は本考案の実施例におけるメモリカードが挿入可能な無線通信カード１のブロック模式図を示す。無線通信カード１における回路モジュール１４は無線通信ユニット１４２と制御ユニット１４３を含む。無線通信ユニット１４２は、制御ユニット１４３の制御に応じてスロット１３に挿入されたメモリカード１２がデータをアクセスするためのワイヤレス方式による双方向伝送機能を持つ。無線通信ユニット１４２は、例えば、赤外線通信ユニット、ブルートゥース（登録商標）通信ユニット、ＲＦ（Ｒａｄｉｏ Ｆｒｅｑｕｅｎｃｙ）通信ユニット又はワイヤレス・フィディリティー（ＷｉＦｉ）通信ユニットなどの通信ユニットから選択してもよい。
【００１１】
制御ユニット１４３は、通信インターフェイス１１、無線通信ユニット１４２及びスロット１３にそれぞれ電気的に接続されており、通信インターフェイス１１とスロット１３に挿入されたメモリカード１２との間のデータのアクセスを制御するとともに、トリガ信号によって無線通信ユニットを動作させることで無線通信カードが無線通信ユニットを介して外部の無線装置（図示せず）にワイヤレス方式で連結してデータを外部の無線装置にアップロードしたり外部の無線装置からダウンロードしたりするように制御する。
【００１２】
より詳しく説明すれば、制御ユニット１４３は、処理モジュール１４３２とメモリ１４３１を含む。処理モジュール１４３２とメモリ１４３１は互いに電気的に接続されている。ここで、メモリは非揮発性メモリであってもよい。処理モジュール１４３２はマイクロプロセッサ（ｍｉｃｒｏｐｒｏｃｅｓｓｏｒ）１４３２１とＲ／Ｗ（読み取り／書き込み)制御器１４３２２を含む。マイクロプロセッサ１４３２１とＲ／Ｗ制御器１４３２２は互いに電気的に接続されている。Ｒ／Ｗ制御器１４３２２は、スロット１３を介してメモリカード１２に対してデータをアクセスする。処理モジュール１４３２は無線通信カード１における演算処理の核心要素でもあり、メモリ１４３１に記憶されているファームウェア（ｆｉｒｍｗａｒｅ）に基づいて無線通信カード１の機能操作を制御するためのものでもある。
【００１３】
図３に示すように、メモリ１４３１に記憶されているファームウェアは、例えば、メインプログラム、セットアッププログラム、オンラインプログラム、画像ファイルなどを含んでもよい。メインプログラムは、処理モジュール１４３２が無線通信カード１の制御を実行させるためのものである。セットアッププログラムは、メモリカード１２をワイヤレス方式でアクセスするのに必要なパラメーター又はプログラムを設定するためのものである。オンラインプログラムは、無線通信ユニット１２をワイヤレス方式で外部の無線装置と連結させるためのものである。画像ファイルは、ユーザーに対して無線機能の操作を案内する複数のデフォルト画像を提供するためのものである。各デフォルト画像は、それぞれの無線通信モードを対応する。また、セットアッププログラムとオンラインプログラムは、ユーザーがコンピューターによって無線通信カードを編集又は設定できるようにしてもよい。
【００１４】
次に、制御ユニット１４３が提供するメモリカード１２を有線方式でアクセスする制御方式の一例について説明する。無線通信カード１のスロット１３にメモリカード１２が挿入されてあり、且つ、無線通信カード１がデジタル電子装置のメモリカードスロットに挿入されてある場合、外部のデジタル電子装置は、通信インターフェイス１１を介して無線通信カード１に挿入されたメモリカード１２に対してデータをアクセスすることができ、処理モジュール１４３２は、通信インターフェイス１１を介して外部のデジタル電子装置がメモリカード１２を読み取り／書き込み（Ｒ／Ｗ）するためのＲ／Ｗ信号を認識することができ、マイクロプロセッサ１４３２は、スロット１３に挿入されたメモリカード１２に対してデータのＲ／Ｗの制御を行えるようにＲ／Ｗ制御器１４３２２を制御することができる。
【００１５】
次に、制御ユニット１４３が提供するメモリカード１２をワイヤレス方式でアクセスする制御方式の一例について説明する。無線通信カード１のスロット１３にメモリカード１２が挿入されてあり、且つ、無線通信カード１がデジタル電子装置のメモリカードスロットに挿入されてある場合、制御ユニット１４３は、トリガ信号の生成の有無を判断して、その判断結果を無線通信ユニット１４２の動作可否の基準とする。ここで、トリガ信号の生成の有無は、制御ユニット１４３によってデジタル電子装置（例えば、デジタルカメラなど）がメモリに記憶されている画像ファイルを閲覧する際に対応する操作を実行したか否かを判断する結果によるものである。ここで、操作とは、例えば、デジタル電子装置が画像ファイルにおけるあるデフォルト画像を削除したり、拡大したり、縮小したり、回転したりすることを指すが、この限りではない。制御ユニット１４３における処理モジュール１４３２が上述の操作を行われたことを判断した場合、制御ユニット１４３は、トリガ信号が生成されたことを認定して、無線装置（図示せず）とワイヤレス方式で連結するように無線通信ユニット１４２を動作させるとともに、デジタル電子装置によって特定の操作が執行されたデフォルト画像に対応する無線通信モードに基づいて無線通信カード１と無線装置との間の通信の操作を提供する。
【００１６】
ここで注意すべき点は、メモリ１４３１に記憶されている画像ファイルにおけるデフォルト画像が消えずに無線通信カード１に重複使用されることができることである。例を挙げると、例えば、仮にデジタル電子装置がこのデフォルト画像を削除するように操作を行ったとしても、制御ユニット１４３は、このデフォルト画像を削除することを行わず、無線通信ユニット１４２を動作させることのみを行うだけである。
【００１７】
図４は、メモリに記憶されているデフォルト画像を送受信する無線通信モードの一例を示す。図４に示すデフォルト画像に対応する無線通信モードは、デジタル電子装置（例えば、タブレットコンピューター、デスクトップコンピューター、ノートブックパソコン又はスマート型パソコンなど）の挿入された無線通信カードに対してワイヤレス方式でアクセスしたり、又はパラメーターを設定したりするように無線装置（例えば、デジタルカメラなど）を動作させるためのものである。ユーザーがデジタル電子装置によって図４に示すデフォルト画像を閲覧する場合、このデフォルト画像を削除するように操作を執行すると、無線通信カード１は無線通信ユニット１４２を動作させる。そうすると、ユーザーは、無線装置を介して所定のネットワークアドレスを入力して無線通信カード１におけるオンラインプログラムを連結することによって、無線通信カード１と無線装置を結合させることができる。具体的に言えば、オンラインプログラムは、ホームページの方式で無線装置に表示してユーザーに後続の操作をさせるためのものである。例えば、ユーザーは、ホームページの操作によって、無線装置が無線通信カード１に挿入されたメモリカード１２に対してデータをワイヤレス方式でアクセスすることができる。更に、ユーザーは、ホームページの操作によって、無線通信カード１のメモリ１４３１におけるセットアッププログラムが必要のパラメーター（例えば、ネットワークサーバーを連結するパラメーター、データをアップロードするパラメーター、データをダウンロードするパラメーターなど）を設定することができる。
【００１８】
図５は、メモリに記憶されているデフォルト画像を送受信する無線通信モードのほかの一例を示す。図５に示すデフォルト画像に対応する無線通信モードは、デジタル電子装置（例えば、デジタルカメラなど）に挿入された無線通信カード１におけるデータをネットワークサーバーにアップロードさせるためのものである。図７に示すように、ユーザーがデジタル電子装置４１によって図５に示すデフォルト画像を閲覧する場合、ユーザーがデジタル電子装置４１によってこのデフォルト画像を削除するように操作を執行すると、無線通信カード１は無線通信ユニット１４２を動作させる。そうすると、無線通信カード１が無線基地局４２（Ｂａｓｅ ｓｔａｔｉｏｎ）とワイヤレス方式で連結され、インターネット４３を介してネットワークサーバー４４に連結されることによって、デジタル電子装置１に挿入されたメモリカード２２におけるデータをネットワークサーバー４４にアップロードさせる。この場合、ネットワークサーバー４４がデジタル電子装置１に挿入されたメモリカードにおけるデータと同じデータを既に記憶していれば、無線通信カード１は同じデータをネットワークサーバー４４に重複にアップロードしないようになっている。ここで、ネットワークサーバー４４は、例えば、電子メールサーバー（ｅ−ｍａｉｌ  ｓｅｒｖｅｒ）、ネットワークコミュニティーサーバー（ｎｅｔｗｏｒｋ ｃｏｍｍｕｎｉｔｙ  ｓｅｒｖｅｒ）、ネットワークリアルタイムコミュニケーションサーバー（ｎｅｔｗｏｒｋ  ｒｅａｌ ｔｉｍｅ ｃｏｍｍｕｎｉｃａｔｉｏｎ  ｓｅｒｖｅｒ）又はファイル転送サーバー（ｆｉｌｅ ｔｒａｎｓｆｅｒ  ｓｅｒｖｅｒ）などのサーバーであってもよい。
【００１９】
図６Ａと図６Ｂは、は、メモリに記憶されているデフォルト画像を送受信する無線通信モードのほかの一例を示す。図６Ａに示すデフォルト画像に対応する無線通信モードは、第１のデジタル電子装置に挿入された無線通信カードがほかの無線通信カードが挿入されている第２のデジタル電子装置にワイヤレス方式でデータを送信させるためのものである。図６Ｂに示すデフォルト画像に対応する無線通信モードは、第２のデジタル電子装置に挿入された無線通信カードがほかの無線通信カードが挿入されている第１のデジタル電子装置にワイヤレス方式でデータを受信させるためのものである。これにより、ユーザーが第１のデジタル電子装置によって図６Ａに示すデフォルト画像を閲覧してこのデフォルト画像を削除するように操作を執行する場合、又はユーザーが第２のデジタル電子装置によって図６Ａに示すデフォルト画像を閲覧してこのデフォルト画像を削除するように操作を執行する場合、第１のデジタル電子装置に挿入された無線通信カードと第２のデジタル電子装置に挿入された無線通信カードをワイヤレス方式で互いに連結するとともに、第１のデジタル電子装置に挿入された無線通信カードが自体に挿入されたメモリカードにおけるデータを第２のデジタル電子装置に挿入された無線通信カードのメモリカードに送信し、第２のデジタル電子装置に挿入された無線通信カードのメモリカードが第１のデジタル電子装置に挿入された無線通信カードのメモリカードから送信してくるデータを受信する。
【００２０】
ここで注意すべき点は、図４、図５、図６Ａ、図６Ｂに示すデフォルト画像を送受信する無線通信モードは例示に過ぎず、本考案の特許請求の範囲を限定するものではない。
【００２１】
図８は、本考案の実施例におけるメモリカードが挿入可能な無線通信カードのブロック模式図を示す。図２に示す無線通信カード１との相違点は、図８に示す無線通信カード１ａにおける回路モジュール１４ａにおいて状態検出ユニット１４１が設けられることである。状態検出ユニット１４１は制御ユニット１４３に電気的に接続されている。状態検出（ｓｔａｔｅ ｄｅｔｅｃｔｉｏｎ）ユニット１４１は、例えば、重力センサー（ｇｒａｖｉｔｙ ｓｅｎｓｏｒ）、ジャイロセンサー（ｇｙｒｏ−ｓｅｎｓｏｒ）、角度センサー又は振動センサーなどのものであってもよい。
【００２２】
図８に示す無線通信カード１ａは、上述した実施例のようにトリガ信号を生成するほかに、状態検出ユニット１４１が検出した無線通信カード１ａの受け力の状態を判断することで、トリガ信号を生成するか否かを決定することができる。例を挙げると、ユーザーが無線通信カード１ａを挿入してあるデジタル電子装置を動かすと、無線通信カード１ａにおける状態検出ユニット１４１は、その受け力の状態を検出し、振動力（又は加速度数値など）を相対的な量化数値を転換して、転換した量化数値が予め設定しておいた所定の閾値を超えるか否かを判断して、その判断結果に基づいてトリガ信号を生成するかどうかを決定する。言い換えれば、量化数値が所定の閾値を超えると、状態検出ユニット１４１は、その振動力が有効な作用力であると判断して、トリガ信号を生成して制御ユニット１４３に送信する。制御ユニット１４３は、このトリガ信号に応じて無線通信ユニット１４２を動作させ、このトリガ信号に対応する無線通信モードを執行させる。
【００２３】
また、状態検出ユニット１４１が検出した状態によって生成されたトリガ信号と無線通信モードとの対応関係は、下記の幾つの実施方法がある。例えば、状態検出ユニット１４１の検出結果との比較するように、それぞれの無線通信モードに対応する複数の閾値を提供する方法がある。例を挙げると、複数の閾値は、第１の所定の閾値（図４に示す無線操作モードに対応する）、第２の所定の閾値（図５に示す無線操作モードに対応する）、第３の所定の閾値（図６Ａに示す無線操作モードに対応する）及び第４の所定の閾値（図６Ｂに示す無線操作モードに対応する）であるようにしてもよい。この場合、第１の所定の閾値＜第２の所定の閾値＜第３の所定の閾値＜第４の所定の閾値。状態検出ユニット１４１の検出結果の量化数値が第１の所定の閾値よりも大きく且つ第２の所定の閾値よりも小さい場合、無線通信カード１ａは図４に示す無線通信モードで動作する。状態検出ユニット１４１の検出結果の量化数値が第２の所定の閾値よりも大きく且つ第３の所定の閾値よりも小さい場合、無線通信カード１ａは図５に示す無線通信モードで動作する。このように類推することができる。
【００２４】
若しくは、図８に示す制御ユニット１４３は、所定の時間帯で状態検出ユニット１４１の検出結果の量化数値が所定の閾値を超えた回数を判断することによって、対応する無線通信モードを決定するようにしてもよい。例を挙げると、所定の時間帯で状態検出ユニット１４１の検出結果の量化数値が所定の閾値を超えた回数が一回であれば、無線通信カード１ａは図４に示す無線操作モードで動作し、回数が二回であれば、無線通信カード１ａは図５に示す無線操作モードで動作し、回数が三回であれば、無線通信カード１ａは図６Ａに示す無線操作モードで動作し、回数が四回であれば、無線通信カード１ａは図６Ｂに示す無線操作モードで動作するようにしてもよい。
【００２５】
図９は本考案の実施例における無線通信カードの制御フローチャートを示す。図１、図２、図８、図９を参照して説明する。無線通信カードがデジタル電子装置（例えば、デジタルカメラなど）に挿入され、且つ、メモリカードがその無線通信カードに挿入された場合、制御ユニット１４３は、デジタルカメラが写真又は撮像したデータをメモリカードに書き込んで記憶する（ステップＳ９０１）。次に、制御ユニット１４３は、ワイヤレス方式でデータをアクセスする機能を動作させるか否か、即ちトリガ信号の生成があるか否かを判断する（ステップＳ９０３）。トリガ信号の生成方法は上述の実施例のいずれか一つであればよいため、ここでその説明を省略する。続いて、ステップＳ９０３において、「Ｙ」と判断すると、トリガ信号が対応する無線通信モードの設定に基づいてデータをアクセスする（ステップＳ９０５）。一方、ステップＳ９０３において、「Ｎ」と判断すると、ステップＳ９０１に戻す。
【００２６】
上述したように、本考案の実施例におけるメモリカードが挿入可能な無線通信カードは、デジタル電子装置（例えば、デジタルカメラ、デジタル撮像機器、又は撮像機能付き携帯通信装置など）に結合しており、トリガ信号の生成の有無を判断し、制御ユニットをそのトリガ信号に対応する無線通信モードに基づいて動作させることによって、無線通信カードがデータを外部の無線装置にアップロードしたり外部の無線装置からダウンロードしたりすることができる。これにより、本考案は、遠距離や郊外にあるユーザーが写真を撮ったり撮影をしたりした後、他人と写真や動画を直ちに交流できない欠点を解決できる。
【００２７】
上述したものは、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものとする。
【符号の説明】
【００２８】
Ｓ９０１〜Ｓ９０５  ステップ
１、１ａ  無線通信カード
１１  通信インターフェイス
１２  メモリカード
１３  スロット
１４、１４ａ  回路モジュール
１４１  状態検出ユニット
１４２  無線通信ユニット
１４３  制御ユニット
１４３１  メモリ
１４３２  処理モジュール
１４３２１  マイクロプロセッサ
１４３２２  Ｒ／Ｗ（読み取り／書き込み）制御器
４１  デジタル電子装置
４２  無線基地局
４３  インターネット
４４  ネットワークサーバー
【図１】
0003172865.tif 000003
【図２】
0003172865.tif 000004
【図３】
0003172865.tif 000005
【図４】
0003172865.tif 000006
【図５】
0003172865.tif 000007
【図６Ａ】
0003172865.tif 000008
【図６Ｂ】
0003172865.tif 000009
【図７】
0003172865.tif 000010
【図８】
0003172865.tif 000011
【図９】
0003172865.tif 000012